(57)【特許請求の範囲】
【請求項１】
上方付勢状態で押し込み可能に起立し且つ口部内に配設されたステムを有する一対の吐出容器と、
該吐出容器の口部に装着され、一対の吐出容器を並列させた状態で一体に組み合わせる内部カバーと、
前記ステムの上端に装着され、吐出容器内の内容物を吐出させる吐出口が形成された押下部を有する吐出ヘッド部材と、
前記内部カバーに着脱自在に装着され、前記押下部を露出させた状態で前記吐出ヘッド部材を覆う外部カバーと、を備え、
前記外部カバーの周壁部には、上下方向に延在し、かつ下端に開口するスリットが形成され、
前記内部カバーの周壁部において前記スリットと対向する部分には、該スリット内に進入可能な案内突部が突設され、
該案内突部の表面のうち、周方向を向く一対の周端面は、前記スリット側の先端部から前記内部カバーの周壁部側の基端部に向かうに従い漸次、互いに離間していることを特徴とする二連式容器。
【請求項２】
請求項１に記載の二連式容器において、
前記案内突部の先端部は、前記スリット内に位置していることを特徴とする二連式容器。
【請求項３】
請求項１又は２に記載の二連式容器において、
前記スリットおよび案内突部は一対ずつ備えられるとともに、前記外部カバーおよび内部カバーそれぞれにおいて、前記吐出容器が並列に並ぶ方向の両端部に配設されていることを特徴とする二連式容器。
【請求項４】
請求項１から３のいずれか１項に記載の二連式容器において、
前記外部カバーには、前記押下部を押し下げ操作可能に該押下部を覆う操作片が設けられていることを特徴とする二連式容器。
【請求項５】
請求項１から４のいずれか１項に記載の二連式容器において、
前記吐出ヘッド部材は、前記一対の吐出容器を一体的に繋ぐように、両吐出容器の前記ステムの上端に嵌合された共通部材とされていることを特徴とする二連式容器。
【発明の詳細な説明】
【技術分野】
【０００１】
本発明は、吐出容器を２つ備える二連式容器に関するものである。
【背景技術】
【０００２】
この種の二連式容器の１つとして、左右一対をなすエアゾール缶と、これら両エアゾール缶を連結する連結部材と、両エアゾール缶のステムの上端部に管状部左右から垂下する第１嵌合筒を嵌合させると共に管状部中間から第２嵌合筒を起立させる通路部材と、上記連結部材の外面に上板外周から垂下する周壁を着脱自在に嵌合させると共に上板中央部を開口する主筒部材と、上記第２嵌合筒にノズル基端から垂下する連通筒を嵌合させたヘッドと、ノズル先端部を周壁前部の窓口から露出させてヘッド外面を覆い、周壁下部を主筒部材上板から起立する短筒外面へ嵌合させ、又頂板を肉薄ヒンジを介して後方突出するレバーに形成したキャップと、を備え、レバー後部の押し下げで、ヘッドを介して通路部材とステムとが押し下げられてエアゾール缶内の液体が噴出可能とされた二重エアゾール式液体噴出容器が知られている（特許文献１参照）。
【先行技術文献】
【特許文献】
【０００３】
【特許文献１】特開２００４−１８２２５８号公報
【発明の概要】
【発明が解決しようとする課題】
【０００４】
上記従来の液体噴出容器は、毛染液や整髪剤等の噴出容器として使用されるものであるが、キャップ内を洗浄したり、使用後にキャップを取り外す際、容易に取り外し可能な機構が必要とされていた。
【０００５】
この発明は、このような事情を考慮してなされたもので、その目的は、キャップの付け替えを容易に行え、例えば、吐出容器から吐出された内容物の洗浄を簡単に行える二連式容器を提供することである。
【課題を解決するための手段】
【０００６】
上記の目的を達成するために、この発明は以下の手段を提供している。
（１）本発明に係る二連式容器は、上方付勢状態で押し込み可能に起立し且つ口部内に配設されたステムを有する一対の吐出容器と、該吐出容器の口部に装着され、一対の吐出容器を並列させた状態で一体に組み合わせる内部カバーと、前記ステムの上端に装着され、吐出容器内の内容物を吐出させる吐出口が形成された押下部を有する吐出ヘッド部材と、前記内部カバーに着脱自在に装着され、前記押下部を露出させた状態で前記吐出ヘッド部材を覆う外部カバーと、を備え、前記外部カバーの周壁部に、上下方向に延在し、かつ下端に開口するスリットが形成され、前記内部カバーの周壁部において前記スリットと対向する部分に、該スリット内に進入可能な案内突部が突設され、該案内突部の表面のうち、周方向を向く一対の周端面が、前記スリット側の先端部から前記内部カバーの周壁部側の基端部に向かうに従い漸次、互いに離間していることを特徴とする。
【０００７】
本発明に係る二連式容器によれば、吐出ヘッド部材の押下部を押し下げ操作することで、両吐出容器のステムを押し込むことができるので、両吐出容器内の内容物を押下部の吐出口から吐出させることができる。
ところで、外部カバーを取り外す場合には、まず、外部カバーの周壁部においてスリットを周方向に挟んだ両側に位置する両側部分を、内部カバーに向けて押し込む。すると、外部カバーの内周面が、内部カバーの案内突部における周端面上を摺動しながら、案内突部がスリット内に進入することで、スリットの幅が拡げられつつ外部カバーが拡径変形する。これにより、内部カバーから外部カバーを取り外すことができる。
従って、手間や時間をかけることなく例えば吐出ヘッド部材の内部の洗浄を行って、残存している内容物を取り除くことができる。また、ステムの上端を清浄にすることも可能である。
【０００８】
（２）また、上記本発明の二連式容器において、前記案内突部の先端部が、前記スリット内に位置していても良い。
【０００９】
この場合には、案内突部の先端部がスリット内に位置しているので、内部カバーおよび外部カバーそれぞれの相対的な周方向位置を容易且つ確実に合わせて固定することができる。
【００１０】
（３）また、上記本発明の二連式容器において、前記スリットおよび案内突部が一対ずつ備えられるとともに、前記外部カバーおよび内部カバーそれぞれにおいて、前記吐出容器が並列に並ぶ方向の両端部に配設されていても良い。
【００１１】
この場合には、スリットおよび案内突部が一対ずつ備えられるとともに、外部カバーおよび内部カバーそれぞれにおいて、前記吐出容器が並列に並ぶ方向の両端部に配設されているので、前述の作用効果を確実に奏功させることができる。
【００１２】
（４）また、上記本発明の二連式容器において、前記外部カバーに、前記押下部を押し下げ操作可能に該押下部を覆う操作片が設けられていても良い。
【００１３】
この場合には、操作片を介して吐出ヘッド部材の押下部を押し下げることができ、内容物を吐出させることができる。特に、押下部を覆うことができるので、吐出ヘッド部材に塵埃等が付着してしまうことを防ぐことができ、内容物以外の汚れ等が吐出ヘッド部材に着き難い。
【００１４】
（５）また、上記本発明の二連式容器において、前記吐出ヘッド部材が、前記一対の吐出容器を一体的に繋ぐように、両吐出容器の前記ステムの上端に嵌合された共通部材とされていても良い。
【００１５】
この場合には、押下部を押し下げ操作することで、両吐出容器のステムを同時に押し込むことができるので、両吐出容器内の内容物を同じタイミングで同時吐出させることができる。従って、１回の押し下げ操作で、効率良く内容物を吐出させることができる。また、例えば、異なる内容物を吐出後に簡単に混合させることも可能である。
【発明の効果】
【００１６】
本発明に係る二連式容器によれば、外部カバーの前記両側部分を押し込むだけの簡単な操作で、外部カバーを内部カバーから取り外すことができるので、手間や時間がかからない。
【図面の簡単な説明】
【００１７】
【図１】本発明に係る二連式容器の実施形態を示す縦断面図（一部側面図）である。
【図２】図１に示すＡ−Ａ線に沿った断面図である。
【図３】図１に示す二連式容器の側面図である。
【図４】図３に示すＢ−Ｂ線に沿った部分断面図である。
【図５】図１に示す二連式容器の上面図である。
【図６】図２に示す状態から操作レバーを介してステムを押し込んだ状態を示す断面図である。
【発明を実施するための形態】
【００１８】
以下、本発明に係る二連式容器の実施形態について、図１から図６を参照して説明する。本実施形態の二連式容器１は、図１及び図２に示すように、一対の吐出容器２、３と、内部カバー４と、吐出ヘッド部材５と、外部カバー６と、で構成されている。
【００１９】
一対の吐出容器２、３は、同じ構成とされており、本実施形態では液体状の内容物が充填されたエアゾール缶を例に挙げて説明する。
この吐出容器２、３は、上端部が小径化した口部１０とされ、この口部１０内に上方付勢状態で押し込み可能に起立したステム１１が配設されている。そして、このステム１１が押し下げられると内容物が泡状に吐出される。
【００２０】
なお、本実施形態では、それぞれの吐出容器２、３の中心軸を容器軸Ｏと称し、該容器軸Ｏに沿って吐出容器２、３の図示しない底部側を下側、ステム１１の上端側を上側とする。また、容器軸Ｏに直交する方向を径方向とし、容器軸Ｏを中心に周回する方向を周方向とする。
【００２１】
内部カバー４は、一対の吐出容器２、３の各口部１０に装着され、これら一対の吐出容器２、３を並列させた状態で一体に組み合わせる部材である。
詳細には、内部カバー４は、一対の吐出容器２、３の各口部１０に各別に外嵌される一対の嵌合筒（周壁部）２０と、これら一対の嵌合筒２０を一体的に連結する図示されない連結部と、を備えている。以下、両吐出容器２、３が並列に並ぶ方向を長軸方向Ｌ１という。
【００２２】
それぞれの嵌合筒２０は、下端部が径方向の外側に突出した拡径部２１とされており、この拡径部２１よりも上側の部分で吐出容器２、３の口部１０にアンダーカット嵌合されている。なお、拡径部２１は、嵌合筒２０の全周ではなく、周方向に沿って部分的に形成されている。また、嵌合筒２０は、上端部がステム１１の上端部よりも上方に突出するように形成されており、ステム１１を上下方向の全長にわたって径方向の外側から囲んでいる。
【００２３】
また、それぞれの嵌合筒２０内には、容器軸Ｏに直交する方向に延び、吐出容器２、３の口部１０上に配置されるストッパ壁２２が配設されている。このストッパ壁２２は、嵌合筒２０の上下方向略中間部に配設され、嵌合筒２０と一体に形成されている。ストッパ壁２２には、ステム１１を挿通させる挿通孔２２ａが該ステム１１よりも大径に形成されている。
【００２４】
更に、一対の嵌合筒２０それぞれにおいて、内部カバー４の長軸方向Ｌ１の外側端に位置する各部分には、図１及び図３に示すように径方向外側に突出する案内突部２３が突設されている。
この案内突部２３は、嵌合筒２０の上下方向略中間部から下端部に亘って延び、後述する外部カバー６のスリット７０内に進入可能とされた凸条部材である。詳細には、図４に示すように、外部カバー６側に滑らかに膨出しており、案内突部２３の表面のうち、周方向を向く一対の周端面２３ａが、スリット７０側の先端部２３ｂから嵌合筒２０側の基端部に向かうに従い漸次、互いに離間するように形成されている。
なお、案内突部２３の先端部２３ｂは、スリット７０内に位置している。
【００２５】
また、それぞれの嵌合筒２０には、図２に示すように、上下方向略中間部から拡径部２１に亘って、上下方向に延設された縦リブ２５が周方向に間隔を開けて形成されている。これら縦リブ２５は、拡径部２１に対して面一となるように径方向の外側に突出している。
【００２６】
上記連結部は、一対の嵌合筒２０同士の間に配設されて、これらの嵌合筒２０と一体に形成されると共に、図１に示すように、後述する摘み片３８を挿通させるスリット状の開口部２６が形成されている。
また、連結部には、外部カバー６側に向けて突出する一対の係合凸部２４が突設されている。これら一対の係合凸部２４は、上記長軸方向Ｌ１に直交する短軸方向Ｌ２に対向するように配設されており、正面視で長軸方向Ｌ１に長く延設されている。
【００２７】
上記吐出ヘッド部材５は、図１及び図２に示すように、一対の吐出容器２、３を一体的に繋ぐように、両吐出容器２、３のステム１１の上端に装着される共通部材であって、通路部材３０と、押下ヘッド（押下部）３１とで構成されている。
通路部材３０は、互いにヒンジ部３２を介して連結された下蓋部３３及び上蓋部３４で構成され、長軸方向Ｌ１に長い平面視略楕円状に形成されている。上蓋部３４は、ヒンジ部３２回りに回動することで下蓋部３３に対して離脱自在に組み合わされている。下蓋部３３の側壁のうち、上記長軸方向Ｌ１に直交する短軸方向Ｌ２に沿ってヒンジ部３２と向かい合う部分には、容器外側に向けて突出したフランジを介してフック３５が起立されている。そして、このフック３５には、上蓋部３４の側壁に容器外側に向けて突設された係合突起３４ａに上側から係合する係合突起３５ａが、容器内側に向けて突設されている。
【００２８】
また、下蓋部３３には、長軸方向Ｌ１の両端部から下方に向かって装着筒３６が突設されている。そして、これら装着筒３６内に一対の吐出容器２、３のステム１１の上端が嵌合されている。つまり、本実施形態では、嵌合によってステム１１の上端部に吐出ヘッド部材５が装着されている。
【００２９】
ここで、下蓋部３３内における長軸方向Ｌ１の略中央部には、短軸方向Ｌ２に沿って下蓋部３３を横切る隔壁３７が長軸方向Ｌ１に間隔を開けて平行に延設されている。これにより、上蓋部３４と下蓋部３３との間には、一方の装着筒３６に連通する一方の流通路Ｒが画成されていると共に、他方の装着筒３６に連通する他方の流通路Ｒが画成されている。
【００３０】
更に、下蓋部３３には、長軸方向Ｌ１の略中央部から下方に向かって延在する摘み片３８が形成されている。この摘み片３８は、上下方向に長く短軸方向Ｌ２に短い長方形状の板材であり、上記開口部２６内に挿通されて一対の吐出容器２、３の間に位置している。
【００３１】
上蓋部３４における長軸方向Ｌ１の略中央部には、上方に向かって上部装着筒４０が起立されている。この上部装着筒４０の上端部は、縮径した縮径筒部４１とされている。
また、上部装着筒４０内には、短軸方向Ｌ２に沿って上部装着筒４０内を横切る仕切り板４２が形成されている。この仕切り板４２は、上部装着筒４０の上端開口から下方に向かって延設されていると共に、その下端部は下蓋部３３内に形成された上記隔壁３７の間に差し込まれている。
従って、この上部装着筒４０内は、上蓋部３４と下蓋部３３との間に画成された上記一方の流通路Ｒ及び他方の流通路Ｒにそれぞれ連通している。
【００３２】
上記押下ヘッド３１は、上記縮径筒部４１に外嵌される内筒部５０と、この内筒部５０を容器外側から囲む外筒部５１と、これら内筒部５０及び外筒部５１の上端部を覆う頂壁部５２と、で有頂の二重筒状に形成されている。
また、本実施形態の押下ヘッド３１は、外筒部５１から短軸方向Ｌ２に沿って容器外側に延在した吐出ノズル５３を有している。この吐出ノズル５３は、押下ヘッド３１内にて基端部が縮径筒部４１に連通されている。また吐出ノズル５３の先端部には、内容物を吐出させる吐出口５３ａが形成されている。
なお、吐出ノズル５３は、正面視で長軸方向Ｌ１に長く、上下方向に短い長方形状に形成されている。また、縮径筒部４１に連通している吐出ノズル５３の基端部内には、装着筒３６内に形成された仕切り板４２上に重なる仕切り壁５４が形成されている。
【００３３】
押下ヘッド３１の頂壁部５２は、短軸方向Ｌ２に沿って上記吐出ノズル５３と反対側の部分が、容器外側に向けて漸次下方に傾斜する傾斜面５２ａとされている。
また、外筒部５１において前記長軸方向Ｌ１の外側端に位置する各部分には、容器外側に向けて突出するガイド片５１ａが各別に配設されている。このガイド片５１ａは、外筒部５１の上下方向略中間部から下端部に亘って延設されている。更に、外筒部５１には、傾斜面５２ａの下端部から容器外側に一旦突出した後に下方に向かって折り曲げられて、外部カバー６の後述する鉛直筒部６２の上端開口縁に上方から対向するストッパ爪５５が形成されている。
【００３４】
外部カバー６は、内部カバー４に着脱自在に装着され、吐出ヘッド部材５を覆う部材であって、図１から図３及び図５に示すように、吐出ヘッド部材５のうち押下ヘッド３１以外の部分を覆うカバー本体（周壁部）６０と、押下ヘッド３１を押し下げ操作可能に覆う操作レバー（操作片）６１と、を備えている。
【００３５】
カバー本体６０は、上下方向に延在し、且つ内部カバー４を容器外側から囲繞する平面視略楕円状の鉛直筒部６２と、該鉛直筒部６２の上端部に連設された湾曲筒部６３と、で構成されている。
湾曲筒部６３は、長軸方向Ｌ１の両側に位置する部分が鉛直筒部６２の上端部から上方に向かって滑らかに湾曲を繰り返しながら徐々に窄まるように形成されている。また、湾曲筒部６３のうち吐出ノズル５３側に位置する部分は、容器内側に窪んだ状態で上方に延設されている。また、この湾曲筒部６３の長軸方向Ｌ１略中間部には、押下ヘッド３１を露出させる収容凹部６４が形成されている。この収容凹部６４は、長軸方向Ｌ１に対向する２つの内壁６５によって画成されており、短軸方向Ｌ２には開口している。
【００３６】
上記内壁６５は、上端部が湾曲筒部６３に連設され下方に向けて延設されている。また、これら内壁６５における上下方向略中間部から下端部に亘って、押下ヘッド３１のガイド片５１ａを上下動自在に案内する案内溝６５ａが形成されている。
【００３７】
鉛直筒部６２は、嵌合筒２０の拡径部２１及び縦リブ２５に接した状態で該内部カバー４に装着されている。ここで、図２に示すように、鉛直筒部６２の内面において、嵌合筒２０の縦リブ２５より上方に位置する部分にも、上下方向に延びる縦リブ６６が周方向に間隔を開けて複数形成されていて、この鉛直筒部６２の縦リブ６６が嵌合筒２０に外接している。
これら両縦リブ２５、６６によって、外部カバー６は内部カバー４に対してガタツキなく装着されている。
【００３８】
ところで、本実施形態の外部カバー６には、図１、図３及び図４に示すように、湾曲筒部６３の上下方向略中間部から鉛直筒部６２の下端部に亘って、上下方向に延在し且つ鉛直筒部６２の下端に開口する一対のスリット７０が形成されている。このスリット７０は、内部カバー４の案内突部２３と対向するように、長軸方向Ｌ１に対向して配設されている。そして、上述したようにスリット７０内には、案内突部２３の先端部２３ｂが進入しており、該スリット７０内に位置している。
【００３９】
また、図１に示すように、鉛直筒部６２と湾曲筒部６３との連設部分のうち、スリット７０を周方向に挟んだ両側に位置する部分には、内部カバー４の嵌合筒２０の上端開口縁に接するストッパ片７１が形成されている。これにより、外部カバー６は内部カバー４に対して上下方向の位置決めが確実になされている。
【００４０】
また、図１から図３に示すように、鉛直筒部６２のうち、短軸方向Ｌ２に向かい合う部分における鉛直筒部６２の下端部には、下方に向けてさらに突設し、且つ下方に向かうに従い漸次、容器外側に向けて拡がった鍔部７２が形成されている。そして、この鍔部７２の上方に位置する部分には、連結部に突設された係合凸部２４が係合する係合凹部７３が形成されている。つまり、外部カバー６と内部カバー４とは、これら係合凸部２４と係合凹部７３との係合によっても互いに係合している。
【００４１】
操作レバー６１は、湾曲筒部６３に形成された上記収容凹部６４内に配設された部材であり、図１、図２及び図５に示すように、吐出ノズル５３側で鉛直筒部６２の上端部に連設され、且つ斜め上方に起立した支持片８０と、該支持片８０にヒンジ部８１を介して連結され、押下ヘッド３１の頂壁部５２を覆う押圧天板８２と、を備えている。
支持片８０は、収容凹部６４を画成する内壁６５に接しながら、該収容凹部６４の上端開口まで起立していると共に、長軸方向Ｌ１略中間部には吐出ノズル５３を突出させる突出開口８０ａが形成されている。
【００４２】
押圧天板８２は、平面視略円形状に形成されており、ヒンジ部８１と反対側部分の移動端には、押下ヘッド３１の傾斜面５２ａを押圧する押下突部８２ａが下方に向けて突設されている。なお、押下突部８２ａと、押下ヘッド３１の傾斜面５２ａと、の間には、押圧天板８２を押下する前の待機状態で上下方向の隙間が設けられている。
また、押圧天板８２には、押下ヘッド３１の頂壁部５２に接する押圧突片８２ｂが下方に向けて突設されている。なお、この押圧突片８２ｂは、長軸方向Ｌ１に間隔を開けて平行に配設されている。
【００４３】
次に、このように構成された二連式容器１を使用する場合について説明する。
まず、押圧天板８２を押し込んでヒンジ部８１回りに回動させると、図６に示すように、その押圧力が押圧突片８２ｂおよび押下突部８２ａを介して押下ヘッド３１に伝達されて該押下ヘッド３１が押し込まれる。そのため、押下ヘッド３１に連結された通路部材３０を含む吐出ヘッド部材５の全体が押し込まれ、一対の吐出容器２、３のステム１１も同時に押し下げられる。
【００４４】
なおこの際、押下ヘッド３１のガイド片５１ａが案内溝６５ａに沿って案内されるので、吐出ヘッド部材５の全体をガタツキなく下方移動させることができる。また、押下ヘッド３１の押し込み量は、傾斜面５２ａに設けられたストッパ爪５５が、外部カバー６の鉛直筒部６２の上端開口縁に上方から当接することで規制される。
そして、ステム１１が押し下げられると、両吐出容器２、３内に充填されている各内容物は、通路部材３０内に吐出されて、隔壁３７及び仕切り板４２によって混合されることなく吐出ノズル５３に流れ込んだ後、仕切り壁５４によりさらに継続して隔離されたまま吐出口５３ａより吐出される。
【００４５】
このように本実施形態では、押圧天板８２を押し下げ操作することで、両吐出容器２、３のステム１１を同時に押し込んで、両吐出容器２、３内の内容物を同じタイミングで同時吐出させることができる。従って、１回の押し下げ操作で効率良く内容物を吐出させることができる。また、例えば、異なる内容物を吐出後に簡単に混合させることも可能である。
【００４６】
ところで、例えば内部洗浄を行う等のために、外部カバー６および吐出ヘッド部材５を取り外す場合には、まず外部カバー６のカバー本体６０においてスリット７０を周方向に挟んだ両側に位置する両側部分（図４に示す矢印Ｐ部分）を、内部カバー４に向けて押し込む。すると、カバー本体６０の内周面が案内突部２３における周端面２３ａ上を摺動しながら、案内突部２３がスリット７０内にさらに進入する。これにより、スリット７０の幅が拡げられつつカバー本体６０が拡径変形する。詳細には、鍔部７２が容器外側に拡がるようにカバー本体６０が拡径変形する。そのため、係合凸部２４と係合凹部７３とが離間して、両者の係合が解除される。
【００４７】
これにより、内部カバー４から外部カバー６を吐出ヘッド部材５とともに取り外すことができ、吐出ヘッド部材５を外部カバー６から取り外すことができる。従って、手間や時間をかけることなく吐出ヘッド部材５の内部の洗浄を行って、残存している内容物を取り除くことができる。また、ステム１１の上端部に関しても洗浄することが可能である。
【００４８】
特に、本実施形態の吐出ヘッド部材５は、押下ヘッド３１を押さえながら摘み片３８を引っ張り操作することで、容易に押下ヘッド３１と通路部材３０とを分離することが可能であるうえ、通路部材３０の上蓋部３４と下蓋部３３とをヒンジ部３２を介して容易に開閉することができる。よって、押下ヘッド３１の内部及び通路部材３０の内部をより容易且つ綿密に洗浄し易い。
【００４９】
また、本実施形態の二連式容器１では、案内突部２３の先端部２３ｂがスリット７０内に位置しているので、内部カバー４及び外部カバー６それぞれの相対的な周方向位置を容易且つ確実に合わせながら組み合わせることができる。従って、製造段階時或いは上記洗浄作業後の組み立て時において、内部カバー４に対して外部カバー６を装着させ易い。
しかも、スリット７０及び案内突部２３は、内部カバー４及び外部カバー６それぞれにおいて、吐出容器２、３が並列に並ぶ長軸方向Ｌ１の両端部に配設されているので、上記作用効果を顕著に奏することができ、外部カバー６をより装着させ易い。
【００５０】
なお、本発明の技術範囲は、上記実施形態に限定されるものではなく、本発明の趣旨を逸脱しない範囲において、種々の変更を加えることが可能である。
【００５１】
例えば、上記実施形態では、吐出容器２、３の一例としてエアゾール缶を例に挙げて説明したが、ポンプ部を利用して内容物を吐出させるタイプの吐出容器であっても構わない。この際のポンプ部は、ステム１１を押し下げることによって内容物を吸い上げ、吐出口５３ａから吐出させるものであれば公知のもので良く、例えば、内容物を液状で吐出する液ポンプや、空気シリンダ及び空気ピストンを構成に加えて内容物を泡状に吐出するフォーマーポンプや、内容物を霧状に吐出するスプレーポンプであっても構わない。
【００５２】
また、上記実施形態では、連結部側に係合凸部２４を設け、外部カバー６の鉛直筒部６２側に係合凹部７３を設けたが、これとは逆に連結部側に係合凹部７３を設け、鉛直筒部６２側に係合凸部２４を設けても構わない。また、凹部と凸部との係合ではなく、凸部同士の係合としても構わない。
【００５３】
また、上記実施形態では、操作レバー６１を設けた構成としたが、該操作レバー６１は必須な構成ではなく設けなくても構わない。この場合には、押下ヘッド３１を直接押し込み操作すればよい。
但し、操作レバー６１を設けることで、押下ヘッド３１を覆って吐出ヘッド部材５の全体を覆うことができるので、吐出ヘッド部材５に塵埃等が付着してしまうことを防ぐことができ、内容物以外の汚れ等が吐出ヘッド部材５に着き難い。
【００５４】
また、上記実施形態では、一対の吐出容器２、３を一体的に繋ぐように吐出ヘッド部材５を構成し、両吐出容器２、３共通の共通部材として機能させたが、両吐出容器２、３のステム１１に対して別個の吐出ヘッド部材をそれぞれ装着させても構わない。
【符号の説明】
【００５５】
１…二連式容器
２、３…吐出容器
４…内部カバー
５…吐出ヘッド部材
６…外部カバー
１１…ステム
２０…嵌合筒（内部カバーの周壁部）
２３…案内突部
２３ａ…案内突部の周端面
２３ｂ…案内突部の先端部
３１…押下ヘッド（押下部）
５３ａ…吐出口
６０…カバー本体（外部カバーの周壁部）
６１…操作レバー（操作片）  
７０…スリット
【図１】
0005401388.tif 000002
【図２】
0005401388.tif 000003
【図３】
0005401388.tif 000004
【図４】
0005401388.tif 000005
【図５】
0005401388.tif 000006
【図６】
0005401388.tif 000007